(57)【要約】【課題】額縁状枠のデザイン等に配慮するも、従来からある画像表示機器が有する機能の省略化を図ることを課題として絵画や写真等の鑑賞手段の装置とする額縁状枠を備えた電子画像表示装置を提供する。【解決手段】デジタルカメラ機能に技術的解決手段を求め、デジタルカメラのプレビュー映像機能を壁掛大型液晶パネルに代えて表示する画像表示装置とし、該装置に鑑賞効果を高めるための額縁状枠を設けるのを特徴として解決した。【選択図】　　　図１
2004140771.tif 000002
【特許請求の範囲】
【請求項１】
額縁状枠と画像表示装置部で構成され、該画像表示装置部は液晶デスプレイ（ＬＣＤ）を基体にメモリーカード装着機能と画像再生機能などを含む集積回路制御機器を具備するのを特徴とした額縁状枠を設ける電子画像表示装置。
【請求項２】
画像表示装置部の周辺を額縁状に縁取りまたは装飾して設ける額縁状枠は着脱を自在にして形状、形態、寸法、配置状態、素材、取り付け方法などいかなる条件にも規制されない額縁状枠を設けることを特徴とする請求項１に記載の額縁状枠を設ける電子画像表示装置。
【発明の詳細な説明】
【０００１】
【発明の属する技術分野】
本発明は液晶デスプレイ（ＬＣＤ）を基体とする画像表示装置部の周辺に額縁状枠を設ける電子画像表示装置に関するものである。
【０００２】
【従来の技術】
人々はより高い文化を求め或いは心の癒しとして絵画や写真等に親しみ楽しんできた。素朴な額縁に入れてさりげなく飾る写真、そして豪華な額縁に収められてお店の中やショーウインドウに飾られる絵画、また時には街頭で広告宣伝に利用される大型の美しい写真や風景画などで心の安らぎを覚えることもある。
【０００３】
絵画や写真等を従来通りパネルや額縁等に納めて鑑賞するのも良いが、作品に対する額縁とのバランス等も充分考慮せねばならず、また額縁内作品の入れ替えなど以外と手間を必要としている。
【０００４】
そこで電子情報化時代にあってこれら従来の写真や絵画を現代的に電子的表現で、メモリーカードによるデータを利用して時間差的に画像が変わるとかそれなりに利用付加価値を高めながら鑑賞したり楽しんだりする試みがあっても良いのではないかと考える。
【０００５】
電子的画像表示方法として昨今では、ブラウン管に代わり薄型の液晶デスプレイの用途が拡大している。フラットパネルデスプレイで代表される液晶デスプレイ（ＬＣＤ）を主流にプラズマ．デスプレイ．パネル（ＰＤＰ）や、有機ＥＬ、蛍光表示管（ＶＦＤ）、フィールド．エミッション．デスプレイ（ＦＥＤ）、そして電子ペーパーなどがあり、それぞれに特徴を持って携帯電話やデジタルカメラ、卓上又は壁掛テレビ、パソコン、カーナビ等数多くに応用され情報伝達の手段として市場を賑わしている。
【０００６】
これらのテレビ、パソコン、携帯電話やカーナビそしてデジタルカメラなど、諸々の液晶デスプレイ商品群はそれなりの目的に応じて完成されているが、本発明が目的とする額縁状枠を設けるのを特徴とする形状及び手段の応用例はなく、又、従来の商品群のままではいろいろと不要な機能が多すぎて不合理である。
【０００７】
その他に、広告宣伝装置として発光ダイオード（ＬＥＤ）の点滅による画像表示方法もあり、その用途は店頭用看板とする小さいものからビルの壁面を利用する大型のものまで多種多様にある。
【０００８】
発光ダイオード（ＬＥＤ）方式は、輝度もあり文字やイラストの表現にはすぐれているが写真や絵画等の微細な表現力に劣り、遠距離から眺めるには適しているのであるが近距離から見るものとしては不都合を感じる。
【０００９】
本発明の電子画像表示装置に係わる出願に、特開２００２−１０１３２３デジタルカメラ用の携帯型表示装置があるが、これはデジタルカメラの付属装置であって本発明が必要とする目的の装置とは大きく異なる。
【００１０】
又、壁掛けテレビとして特開平１０−２０７３８５「平面デスプレイ取り付け構造」の出願もあるが取り付け方法の手段についての提案である。
【００１１】
本発明に最も類似する商品にソニーの携帯用「メモリーカードビデオ」が製品化されている。これは液晶表示画面をハガキ大としてメモリースティックによるデータを画像再生するものである。機能的には本発明の電子画像表示装置と同じとの見方もできるが、本発明の額縁状枠を設ける電子画像表示装置とは視覚的にも作品の表現方法が異なり、液晶表示画面が小さくて本発明が目指すインテリア的発想感覚にほど遠いものである。
【００１２】
【発明が解決しようとする課題】
本発明の額縁枠を設ける電子画像表示装置は、絵画や写真等の鑑賞手段の装置として、従来の額縁に飾られた絵画や写真等のように見栄えや雰囲気を損なわないために額縁枠のデザインの検討も重要な課題とし、又、広告宣伝用の媒体装置としての需要も期待され、従来の技術をもとに必要最小限に簡略化の可能性を追求し、従来からある画像表示機器が有する機能の技術採択と関連技術の集積化を図ることを課題とした額縁枠を設ける電子画像表示装置の開発にあり、該額縁枠を設ける電子画像表示装置を提供することにある。
【００１３】
【課題を解決するための手段】
この上記課題を解決するために本発明は、デジタルカメラ機能に技術的解決手段を求めた。即ち、デジタルカメラが有する機能から本発明に必要な機能だけを採択し不要部分を削除する方法である。デジタルカメラの小型液晶パネルに映し出すプレビュー映像機能を本発明では壁掛大型液晶パネルに代えて表示しようとするものである。
【００１４】
さらに、上記の壁掛大型液晶パネルの四方を囲む状態で額縁状枠を取り付け、額縁に飾られた作品としての見栄えを整えて本発明額縁状枠を設ける電子画像表示装置を完成する。
【００１５】
【発明の実施の形態】
発明の実施の形態を実施例にもとずき図面を参照して説明する。
【００１６】
【実施例】
図１は本発明の実施例とする額縁状枠を設ける電子画像表示装置の正面図である。
【００１７】
図２は本発明の実施例とする額縁状枠を設ける画像表示装置部２のＡ〜Ａ′の側断面図である。
【００１８】
本発明の実施例は、図１に示す通り額縁状枠１と、画像表示装置部２に大別され、該、画像表示装置部２は図２で示すように画像表示パネルに液晶デスプレイ（ＬＣＤ）３を基体として、画像を記憶するメモリーカードの差込、取り出しを可能にしたメモリーカード装着部４と、音響、画像データの読み取り機能と画像変換器やデジタル再生機能などを含む集積回路制御機器５で構成する。
【００１９】
本発明の画像表示装置部２はつぎの通りとする。
液晶デスプレイ（ＬＣＤ）３の寸法はフラットパネルデスプレイの２５〜３２インチ型を適当とし、メモリーカード装着部４のメモリーカードの装着は取り外しや差し替えも自在とし、集積回路制御機器５にはメモリーカード読み取り機能と、カラー液晶デスプレイ表示機能と、プレビユー指示及び静止画順送り（自動，手動コマ送り）機能と、自動連続再生（スライドショー）機能と、音声データ再生機能と、時間設定指示（タイマー）機能、そしてリモコンスイッチで動作指示可能とする機能等を含む、即ちデジタルカメラのカメラ機能を不要とする機能の集積である。
【００２０】
図３は本発明の額縁状枠１に画像表示装置２を設ける状態を示す背面図である。
【００２１】
図４は本発明の額縁状枠１に設けたＺ型固定フック６に固定板７の差込み状態を示す上面図である。
【００２２】
画像表示装置部２を額縁状枠１に装着する方法としては、図２で示す通り画像表示装置部２を額縁状枠１の背面よりはめ込み、図３で示す額縁状枠１の背面上下に設けるＺ型固定フック６にアルミ材等の固定板７を差込みネジ固定として着脱自在に装着するものである。
【００２３】
上記の通り本発明の実施例は、表示パネルに液晶デスプレイ（ＬＣＤ）３を基体として構成する画像表示装置部２の周辺に本発明の額縁状枠を設ける電子画像表示装置であり絵画や写真等を鑑賞するのを目的とするもので、作品の内容によっては周辺の額縁状枠もその作品に似合うものでありたい。そこで本発明では図２、図３で示す如く電子画像表示装置部２に縁取りまたは装飾して設ける額縁状枠の着脱を自在にして額縁状枠の取替え変化も楽しめるような構造とする請求項２に記載の額縁状枠を設ける電子画像表示装置とするものである。
【００２４】
又、本発明で使用するメモリーカードは、取り扱いの容易さといった点でソニーのメモリースティックＭＰ−３（音響・映像データ圧縮技術：ＭＰＥＧ−レイヤー３）、や著作権保護機能を内蔵した東芝、松下のＳＤ（セキュアード・デジタル）メモリーカードとかセキュアＭＭＣ（マルチメモリーカード）などを採用することで、本発明が必要とするデータメモリーカードでの技術的問題は解決できる。いずれにしても各メーカーが熾烈な競争を繰り広げており画像表示装置部２の完成機能に合わせたメモリーカードの採用を選択決定すれば良い。
【００２５】
【発明の効果】
テレビ映像に慣らされた電子情報化の時代において、テレビの動画的感覚を従来の画像表示装置から離れる手法として画像表示装置に額縁状枠を設けることで、静止画ならではの新しい表現方法を完成させることができた。これは従来のような額縁感覚とは異なる分野での作品鑑賞方法でもあり、メモリーカードに記憶されたデータによる静止画像が時間差的に変わり額縁内作品の入れ替えなどの手間も必要としないで、山の写真や海の写真、絵画等の電子画像を室内で楽しんだり鑑賞したりすることができる。
【００２６】
喫茶店やレストランなどの店内に設置して利用すれば、お客様の目を楽しませることは当然ながら、お店のメニュー紹介や情報提供にも活用できて、お店の雰囲気作りに効果がありインテリ装飾としても使える。
【００２７】
本発明の電子画像表示装置はテレビやパソコン、デジタルカメラなどその他諸々の液晶デスプレイ商品群と比較した場合、必要とする機能を省略する構造であるためコスト安が見込めるという利点もある。
【００２８】
メモリーカードに記憶した画像データを差し替えることで多様な情報の提供ができて、データの持ち運びが簡単である。
【００２９】
明るくて人目を引き付ける電子画像表示装置が有する機能性から生ずる利用方法として、広告宣伝用の装置としての需要も充分見込まれるものがあり、宣伝広告媒体装置としての活用が期待できる。一般のお店に設置してポップ広告や店内案内、本日のサービス情報などの案内掲示装置として使える。
【００３０】
発光ダイオード（ＬＥＤ）の点滅によるビルの壁面を利用する大型のものはその設置場所におのずと制限があるが、本発明の電子画像表示装置を街頭での広告掲示装置として設置することも可能で小さいスペースがあれば充分であり設置場所は無限にある。例えば階段の昇降口正面や多くの人々が行き交う駅など、又、設置場所を地下道の連絡通路等を利用した場合など照明効果があるため防犯上も歓迎される。
【００３１】
このように本発明の額縁状枠を設ける電子画像表示装置を広告媒体装置として利用すれば新しい広告スペースが生まれ、従来の乱立する看板広告に代わり電子化による新しい広告媒体としても期待できる。
【００３２】
以上のように本発明によれば、機能的には従来の技術による商品開発ではあるが、新しい分野での新しい商品として新しいビジネスチャンスが生まれるという産業上の利用効果が得られる。
【図面の簡単な説明】
【図１】本発明の実施例を示す正面図である。
【図２】本発明の実施例を示す側断面図である。
【図３】本発明の実施例を示す背面図である。
【図４】本発明の実施例を示す上面図である。
【符号の説明】
１　　　　　額縁状枠
２　　　　　画像表示装置部
３　　　　　液晶デスプレイ（ＬＣＤ）
４　　　　　メモリーカード装着部
５　　　　　集積回路制御機器
６　　　　　Ｚ型固定フック
７　　　　　固定板
【図１】
2004140771.tif 000003
【図２】
2004140771.tif 000004
【図３】
2004140771.tif 000005
【図４】
2004140771.tif 000006